(57)【要約】【課題】盗難防止が必要な場合にのみセキュリティ機能を働かせることで操作性の向上をはかり、また、記録媒体に記録されたデータの盗難防止対策も施し、記録媒体のハード、ソフト両面にわたりセキュリティ保護をはかる。【解決手段】システムコントローラ１（制御手段）は、取得したキー情報からユーザが不在であると判定されたとき、ＨＤ等記録媒体を排出禁止状態に設定し、ユーザが居在すると判定されたとき、記録媒体の排出禁止状態を解除するようにセキュリティ機能を制御する。また、取得したキー情報からユーザが不在であると判定されたとき、ＨＤ等記録媒体をアクセス禁止状態に設定し、ユーザが居在すると判定されたとき、記録媒体のアクセス禁止状態を解除するようにセキュリティ機能を制御する。【選択図】図１
2009140522.tif 000002
【特許請求の範囲】
【請求項１】
セキュリティ機能を備えた、車載オーディオ・ビジュアル機器に挿入される記録媒体の盗難防止装置であって、
操作入力に基づく前記記録媒体の排出要求を取得し、通信により取得されるイグニッションキーのキー情報からユーザが不在であると判定したときに、前記記録媒体を排出禁止状態に設定し前記セキュリティ機能を有効にする制御手段、
を備えたことを特徴とする記録媒体の盗難防止装置。
【請求項２】
セキュリティ機能を備えた、車載オーディオ・ビジュアル機器に挿入される記録媒体の盗難防止装置であって、
操作入力に基づく前記記録媒体のアクセス要求を取得し、通信により取得されるイグニッションキーのキー情報からユーザが不在であると判定したときに、前記記録媒体をアクセス禁止状態に設定し前記セキュリティ機能を有効にする制御手段、
を備えたことを特徴とする記録媒体の盗難防止装置。
【請求項３】
前記制御手段は、
前記キー情報からユーザが不在であると判定したとき、表示装置にセキュリティ情報入力を促すためのメッセージを表示し、続いてユーザが入力装置を操作することにより入力されるセキュリティ情報を取込んで前記車載オーディオ・ビジュアル機器毎に設定される固有のセキュリティ情報と照合し、前記照合の結果によっては前記記録媒体の排出禁止状態、もしくはアクセス禁止状態を解除して前記セキュリティ機能を無効にすることを特徴とする請求項１または２に記載の記録媒体の盗難防止装置。
【請求項４】
前記制御手段は、
前記照合の結果によっては、前記メッセージの表示、およびセキュリティ情報の取り込みによる前記照合を所定回数試行し、前記所定回数の照合を試行した結果に変化がないとき、前記記録媒体の排出禁止状態、もしくはアクセス禁止状態を継続して前記セキュリティ機能を有効にすることを特徴とする請求項３に記載の記録媒体の盗難防止装置。
【請求項５】
前記制御手段は、
前記記録媒体を排出禁止状態、もしくはアクセス禁止状態に設定するとき、同時に所定の時間だけ警告音を出力することを特徴とする請求項１または２に記載の記録媒体の盗難防止装置。
【請求項６】
前記制御手段は、
前記イグニッションキーの抜去が検知されたときに所定の値が設定されるタイマを、前記記録媒体の排出要求を取得したことを契機にスタートさせ、前記タイマのタイムアウトを検出するまでの間、前記記録媒体の排出禁止状態の設定を遅延させ、前記セキュリティ機能を無効にすることを特徴とする請求項１に記載の記録媒体の盗難防止装置。
【請求項７】
前記制御手段は、
前記記録媒体を排出禁止状態に設定するとき、同時に所定の時間だけ警告音を出力することを特徴とする請求項６に記載の記録媒体の盗難防止装置。
【請求項８】
前記制御手段は、
表示装置にセキュリティ状態変更設定画面を表示し、前記セキュリティ機能を有効にするか否かについての指示入力を促し、ユーザが入力装置を操作することにより入力され、取込まれる前記セキュリティ機能を有効にするか否かに関する指示入力に従い、前記記録媒体を排出禁止状態に設定し前記セキュリティ機能を有効にするか、前記記録媒体の排出禁止状態を解除して前記セキュリティ機能を無効にするかを制御することを特徴とする請求項１に記載の記録媒体の盗難防止装置。
【請求項９】
セキュリティ機能を備えた、車載オーディオ・ビジュアル機器に挿入される記録媒体の盗難防止方法であって、
前記車載オーディオ・ビジュアル機器は、
操作入力により前記記録媒体の排出要求を取得するステップと、
前記記録媒体の排出要求の取得を契機に、通信によりイグニッションキーのキー情報を取得するステップと、
前記取得されたキー情報からユーザが不在であると判定したとき、前記記録媒体を排出禁止状態に設定し、前記取得されたキー情報からユーザが居在すると判定したとき、前記記録媒体の排出禁止状態を解除するように前記セキュリティ機能を制御するステップと、
を有することを特徴とする記録媒体の盗難防止方法。
【請求項１０】
セキュリティ機能を備えた、車載オーディオ・ビジュアル機器に挿入された記録媒体の盗難防止方法であって、
前記車載オーディオ・ビジュアル機器は、
操作入力により前記記録媒体のアクセス要求を取得するステップと、
前記アクセス要求の取得を契機に、通信によりイグニッションキーのキー情報を取得するステップと、
前記取得されたキー情報からユーザが不在であると判定したとき、前記記録媒体をアクセス禁止状態に設定し、前記取得されたキー情報からユーザが居在すると判定したとき、前記記録媒体のアクセス禁止状態を解除するように前記セキュリティ機能を制御するステップと、を有することを特徴とする記録媒体の盗難防止方法。
【発明の詳細な説明】
【技術分野】
【０００１】
本発明は、セキュリティ機能を備えた車載用オーディオ・ビジュアル機器に用いて好適な記録媒体の盗難防止装置および方法に関する。
【背景技術】
【０００２】
現在流通している車載用オーディオ・ビジュアル機器（以下、車載用ＡＶ機器という）には、盗難防止対策として、他車から窃盗した車載用ＡＶ機器を自車に取り付け動作させようとしてもセキュリティ機能が働き、操作を無効にすることで動作しないような仕組みが採用されている。
しかしながら、この仕組みによれば、記録媒体の挿入は禁止されても排出が可能であることから記録媒体のみを窃盗することは容易である。
【０００３】
このことを解決するために、従来、セキュリティモード時にあっては記録媒体の挿入を可能とする一方、記録媒体の排出を禁止し、ＡＶ機器を破壊しない限り記録媒体の取出しを不能とする技術が提案されている（例えば、特許文献１参照）。また、本体が電源から切り離されたことを検出してセキュリティモードが設定される車載用オーディオプレーヤにおいて、セキュリティモードが一旦設定されると、記録媒体を排出禁止モードに固定する技術も提案されている（例えば、特許文献２参照）。
【０００４】
【特許文献１】特開平５−１４４６１号公報
【特許文献２】実開平３−１１９５２号公報
【発明の開示】
【発明が解決しようとする課題】
【０００５】
上記した特許文献１、特許文献２に開示された技術によれば、記録媒体の盗難は防止されるものの、正規の所有者であるユーザが乗車している場合であっても同じセキュリティ機能が働き、従って、このセキュリティ機能を頻繁に用いた場合は、操作性が悪化するといった問題が新たに生じることになるという課題があった。
また、将来的に、ＡＶ機器にＰＣ（Personal Computer）等、データ採取装置が接続された場合を想定すれば、記録媒体に記録されたデータのみ窃盗されることも考えられ、この場合についての盗難防止対策はとられていないのが現状である。
【０００６】
本発明は上記のような課題を解決するためになされたもので、ユーザの在不在によりセキュリティ機能を制御し、盗難防止が必要な場合にのみセキュリティ機能を働かせることで操作性の向上をはかった、記録媒体の盗難防止装置および方法を提供することを目的とする。
また、記録媒体の盗難防止対策は勿論のこと、記録媒体に記録されたデータの盗難防止対策も施すことで、記録媒体のハード、ソフト両面にわたりセキュリティ保護をはかった、記録媒体の盗難防止装置および方法を提供することを目的とする。
【課題を解決するための手段】
【０００７】
本発明に係る記録媒体の盗難防止装置は、セキュリティ機能を備えた車載オーディオ・ビジュアル機器に挿入される記録媒体の盗難防止装置であって、操作入力に基づく前記記録媒体の排出要求を取得し、通信により取得されるイグニッションキーのキー情報からユーザが不在であると判定したときに前記記録媒体を排出禁止状態に設定し、前記セキュリティ機能を有効にする制御手段、を備えたものである。
【０００８】
また、本発明に係る記録媒体の盗難防止方法は、操作入力に基づく記録媒体のアクセス要求を取得し、通信により取得されるイグニッションキーのキー情報からユーザが不在であると判定したときに前記記録媒体をアクセス禁止状態に設定し、前記セキュリティ機能を有効にする制御手段、を備えたものである。
【０００９】
また、本発明に係る記録媒体の盗難防止方法は、車載オーディオ・ビジュアル機器は、操作入力により前記記録媒体の排出要求を取得するステップと、前記排出要求の取得を契機に、通信によりイグニッションキーのキー情報を取得するステップと、前記取得されたキー情報からユーザが不在であると判定したとき、前記記録媒体を排出禁止状態に設定し、前記取得されたキー情報からユーザが居在すると判定したとき、前記記録媒体の排出禁止状態を解除するように前記セキュリティ機能を制御するステップと、を有するものである。
【００１０】
また、本発明に係る記録媒体の盗難防止方法は車載オーディオ・ビジュアル機器は、操作入力により前記記録媒体のアクセス要求を取得するステップと、前記アクセス要求の取得を契機に、通信によりイグニッションキーのキー情報を取得するステップと、前記取得したキー情報からユーザが不在であると判定したとき、前記記録媒体をアクセス禁止状態に設定し、前記取得されたキー情報からユーザが居在すると判定したとき、前記記録媒体のアクセス禁止状態を解除するように前記セキュリティ機能を制御するステップと、を有するものである。
【発明の効果】
【００１１】
本発明によれば、ユーザが不在でセキュリティ機能が必要である場合にのみセキュリティ機能を有効にすることができ、ユーザが居在する場合に操作性を優先してセキュリティ機能を働かせることができる。また、記録媒体の盗難防止対策は勿論のこと、記録媒体に記録されたデータの盗難防止対策も施すことができ、この場合、記録媒体のハード、ソフトの両面にわたってセキュリティ保護が可能になる。
【発明を実施するための最良の形態】
【００１２】
実施の形態１．
図１は、本発明の実施の形態１にかかわる記録媒体の盗難防止装置の構成を示すブロック図である。ここではＡＶ機器に適用した例が示されている。
本発明の第１の実施形態にかかわる記録媒体の盗難防止装置は、ＡＶ機器の制御中枢となるシステムコントローラ１を核に、入力装置２、表示装置３、通信装置４、記録媒体制御装置５、音声出力装置６が周辺装置として接続され構成されて成る。
【００１３】
システムコントローラ１にはＣＰＵが内蔵され、同じく内蔵されるＲＡＭを作業領域として用い、ＲＯＭに記録されたプログラムを逐次読み出し、実行することにより周辺装置２〜６をコントロールするものである。
システムコントローラ１は、後述するように、操作入力に基づく記録媒体の排出要求を取得し、通信により取得されるイグニッションキー（以下、ＩＧキーという）のキー情報からユーザが不在であると判定したときに記録媒体を排出禁止状態に設定し、セキュリティ機能を有効にする、本発明の制御手段として機能する。ここで、取得されるキー情報とは、ＩＧキーの挿抜状態、キーポジション（ＯＦＦ、ＡＣＣ、ＯＮ）をいう。
【００１４】
なお、ここで使用される入力装置２はＡＶ機器の操作ボタン、表示装置２はＡＶ機器の液晶表示モニタとする。また、通信装置４は、車両の各部に分散配置されるＥＣＵ（Electro Control Unit）と情報交換するために使用される車内ＬＡＮ（Local Area Network）との間でデータを送受信するために設けられ、ここでは、エンジンを駆動するときに用いられるＩＧキーの挿抜状態、もしくは挿入されたときのキーポジションをシステムコントローラ１が認識するために設けられる。
【００１５】
記録媒体制御装置５は、例えば、ＨＤ（Hard Disc）、ＣＤ（Compact Disc）、ＤＶＤ（Digital Versatile Disc）、ＳＤ（Secure Digital）メモリカード等の記録媒体が挿入され、挿入された記録媒体に記録されたデータをアクセスするドライブであり、ここでは、記録媒体としてＨＤが挿入されるものとする。このため、記録媒体制御装置５には、ＣＰＵ制御の下でＨＤをローディングして挿入し、あるいは排出するローディング機構が備えられているものとする。
また、音声出力装置６は、ＣＰＵ制御の下、ここでは図示せぬスピーカを介して警告音（ビープ音）を出力しユーザに注意喚起する意味で設けられる。
【００１６】
図２は、図１に示すシステムコントローラ１の内部構成を機能展開して示したブロック図である。
図２に示されるように、システムコントローラ１の内部構成を機能的に大別すれば、排出要求取得部１１と、キー情報取得部１２と、セキュリティモード判定部１３と、警告音生成部１４と、タイマ監視部１５と、ＵＩ（User Interface）部１６と、セキュリティ情報照合部１７と、セキュリティ情報記憶部１８とから成る。
【００１７】
排出要求取得部１１は、ユーザが入力装置２のボタン操作（イジェクト操作）を行うことにより生成されるＨＤの排出要求を取得してセキュリティモード判定部１３へ供給する。セキュリティモード判定部１３には、更に、キー情報取得部１２を介してＩＧキーの挿抜状態、もしくはキーポジションに関する情報も供給されている。ＩＧキーの挿抜状態、もしくはキーポジションに関する情報は、上記したように車内ＬＡＮから通信装置４を介してキー情報として通信され、キー情報取得部１２に設定される。
セキュリティモード判定部１３は、排出要求取得部１１を介してＨＤの排出要求があったことを検知すると、更に、キー情報取得部１２を介して取得されるキー情報からユーザが不在であると判定したときに、ＨＤを排出禁止状態に設定してセキュリティ機能を有効にし、記録媒体制御装置５に対し、例えば、ローディング機構のローラ駆動を禁止するための制御信号を供給する。また、警告音発生部１４による警告音生成処理を起動し、音声出力装置６を介して警告音発生を指示することも可能である。
【００１８】
セキュリティモード判定部１３はまた、キー情報からユーザが不在であると判定したとき、ＵＩ部１６を介して表示装置３にセキュリティ情報入力を促すためのメッセージを表示し、続いてユーザが入力装置２を操作することによりボタン入力されるＩＤ等のセキュリティ情報を取込み、セキュリティ情報照合部１７に対してセキュリティ情報の照合を指示する機能もあわせ持つ。
セキュリティ情報照合部１７は、ＵＩ部１６を介して取込まれるＩＤ等のセキュリティ情報と、車載ＡＶ機器毎に設定される固有のセキュリティ情報、ここではセキュリティ情報記憶部１８に格納されるＩＤ等のセキュリティ情報とを比較照合し、この照合の結果をセキュリティモード判定部１３へ供給する。セキュリティモード判定部１３は、セキュリティ情報照合部１７によって出力される照合の結果によってはＨＤの排出禁止状態を解除してセキュリティ機能を無効にすることができる。
【００１９】
なお、セキュリティ情報照合部１７は、照合の結果によってはＵＩ部１６を再度起動し、表示装置３によるメッセージ表示、および入力装置２のセキュリティ情報の取り込みによる照合を所定回数試行し、都度その結果をセキュリティモード判定部１３へ供給する。
セキュリティモード判定部１３は、セキュリティ情報照合部１７による所定回数の試行の結果に変化がないとき、ＨＤの排出禁止状態を継続してセキュリティ機能を有効にする。
【００２０】
一方、タイマ監視部１５は、キーポジション検知部１２によりＩＧキーの抜去が検知されたときに内蔵のタイマに所定の値を設定し、キー情報取得部１２によるキー情報の取得を契機にタイマスタートさせてタイマ監視を行い、タイムオーバを検出したときにセキュリティモード判定部１３を起動する。
このとき、セキュリティモード判定部１３は、設定された時間分のカウントが終了するまでの間、ＨＤの排出禁止状態の設定を遅延させ、この間セキュリティ機能の実行を無効にすることができる。このことは、ユーザがＩＧキーを抜いても数秒間は車内に居ることを配慮しての措置である。
【００２１】
なお、ＵＩ部１６は、表示装置３にセキュリティ状態変更設定画面を表示し、セキュリティ機能を有効にするか無効にするかについての指示入力を促す機能も合わせ持つ。このとき、セキュリティモード判定部１３は、ＵＩ部１６を介してユーザが入力装置２を操作することにより入力され、取込まれる、セキュリティ機能の有効、無効に関する指示入力に従い、ＨＤを排出禁止状態に設定してセキュリティ機能を有効にするか、ＨＤの排出禁止状態を解除してセキュリティ機能を無効にするように制御する。
この機能は、セキュリティ機能のＯＮ／ＯＦＦを自動化する他に、ユーザ自身が任意にセキュリティ機能をコントロールするためになされた措置である。
【００２２】
図３は、本発明の第１の実施形態にかかわる記録媒体の盗難防止装置の基本動作の流れを説明するために引用したフローチャートである。
以下、図３に示すフローチャートを参照しながら図１、図２に示す記録媒体の盗難防止装置の動作について詳細に説明する。
【００２３】
図３において、システムコントローラ１は、まず、排出要求受信部１１により入力装置２を介して到来するＨＤの排出要求の有無を判定する（ステップＳＴ３０１）。ＨＤの排出要求の有無に関する情報は、セキュリティモード判定部１３へ出力される。システムコントローラ１は更に、キー情報取得部１２により取得されるＩＧキーの挿抜状態、もしくはキーポジションを示すキー情報をセキュリティモード判定部１３へ出力する。
このとき、セキュリティモード判定部１３は、ユーザからＨＤの排出要求があり（ステップＳＴ３０１“ＹＥＳ”）、例えば、ＩＧキーが挿入され、ＡＣＣ電源が有効になっている状態にあると判定された場合（ステップＳＴ３０２“ＹＥＳ”）、ユーザが居在すると判定してセキュリティ機能を無効とし、ＨＤ排出禁止状態を解除する（ステップＳＴ３１１）。そして、セキュリティモード判定部１３は、記録媒体制御装置５に対してＨＤ排出要求を出力する（ステップＳＴ３１２）。このことにより、記録媒体制御装置５は、挿入されてあるＨＤを排出することができる（ステップＳＴ３１３）。
【００２４】
一方、セキュリティモード判定部１３は、キー情報によりユーザが不在であると判定した場合、更に、現在セキュリティ機能が有効となっており、ＨＤ排出禁止状態にあるか否かを判定する（ステップＳＴ３０３）。
ステップＳＴ３０３において、セキュリティモード判定部１３は、システムがＨＤ排出禁止状態になっていた場合（ステップＳＴ３０３“ＹＥＳ”）、ステップＳＴ３０１の処理に戻り、一方、システムがＨＤ排出禁止状態になっていない場合（ステップＳＴ３０３“ＮＯ”）、セキュリティ情報照合部１７を起動する。
【００２５】
このとき、セキュリティ情報照合部１７は、まず、ユーザのＩＤ誤入力回数をカウントするために割り当てられ内蔵カウンタ（ＣＮＴ）をクリアし（ステップＳＴ３０４）、表示装置３に対し、ユーザにＨＤ禁止状態を解除するためのＩＤ入力を促すメッセージ（ＩＤ入力要求）を表示するようにＵＩ部１６を起動する。このことにより、ＵＩ部１６は、ＩＤ入力を促すメッセージを表示装置３に表示し（ステップＳＴ３０５）、ユーザが入力装置２を操作することによって入力されるＩＤの到来を待つ（ステップＳＴ３０６）。
【００２６】
ここで、ユーザによりＩＤ入力があった場合、セキュリティ情報照合部１７は、ＵＩ部１６を介して出力されるＩＤと、セキュリティ情報記憶部１８に記録された車両もしくはＡＶ機器に固有のＩＤとを比較照合する（ステップＳＴ３０７）。  
ＩＤの比較照合の結果、一致した場合（ステップＳＴ３０７“ＹＥＳ”）、セキュリティ情報照合部１７はセキュリティモード判定部１３を起動し、セキュリティモード判定部１３は、記録媒体制御装置５に対してＨＤ排出要求を出力する（ステップＳＴ３１２）。このことにより、記録媒体制御装置５は、挿入されてあるＨＤを排出することができる（ステップＳＴ３１３）。
【００２７】
一方、ステップＳＴ３０７において、ＩＤ不一致と判定された場合（ステップＳＴ３０７“ＮＯ”）、セキュリティ情報照合部１７は、内蔵カウンタ（ＣＮＴ）を＋１更新する（ステップＳＴ３０８）。  
ここで、ＩＤの誤入力は２回まで許されるものとし、カウンタ（ＣＮＴ）が“３”をカウントした時点で（ステップＳＴ３０９“ＹＥＳ”）、セキュリティ情報照合部１７はセキュリティモード判定部１３を起動し、セキュリティモードを有効にするように制御する。すなわち、セキュリティモード判定部１３は、記録媒体制御装置５に、例えばローラ駆動禁止信号を出力してＨＤ排出禁止状態に設定し(ステップＳＴ３１０）、ステップＳＴ３０１の処理に戻る。すなわち、ユーザの居在が確認できるまではＨＤの排出は禁止される。
【００２８】
図４は、図３に示す基本動作の流れに従いＨＤの排出を禁止するとき、警告音を同時に鳴らしてユーザに注意喚起する、本発明の実施の形態１の応用例の動作を説明するために引用したフローチャートである。
図３に示す基本動作との差異は、記録媒体制御装置５がＨＤ排出禁止状態に設定された後（ステップＳＴ４１０）、システムコントローラ１は、音声出力装置６を起動して警告音の発生を要求し（ステップＳＴ４１１）、音声出力装置６は、例えば、警告音の出力を１分継続（ステップＳＴ４１２）した後音声出力を停止する（ステップＳＴ４１３）ことにある。
【００２９】
なお、図４のフローチャートにおいて、ユーザからＨＤ排出要求があり、取得されたキー情報からユーザが不在であると判定されたときにＨＤを排出禁止状態に設定し（ステップＳＴ４０１〜ステップＳＴ４１０）、ユーザが居在すると判定されたときＨＤの排出禁止状態を解除してセキュリティ機能を制御する処理（ステップＳＴ４０２、ステップＳＴ４１４〜ステップＳＴ４１６）は、図３のフローチャートを用いて説明した基本動作の流れを踏襲するものである。
【００３０】
図５は、図３に示す基本動作の流れに、更に、ＩＧキーが抜去されても所定時間（数十秒間）はユーザが車両に居在するとシステムに認識させ、セキュリティ機能の実行を遅延させることによって利便性をはかる、本発明の実施の形態１の応用例の動作を説明するために引用したフローチャートである、
図５において、システムコントローラ１は、まずＩＧキーの挿抜を検知し（ステップＳＴ５０１）、ＩＧキーが抜去（ステップＳＴ５０１“ＹＥＳ”）されたことを契機にタイマ監視部１５に対して所定時間に相当する初期値（ここでは３０秒）を設定する（ステップＳＴ５０２）。以降、ＨＤの排出要求を受信し、到来する鍵情報からユーザが不在であると判定（ステップＳＴ５０３“ＮＯ”）したときにタイマ監視部１５を起動してタイマをスタートさせ、タイムアウトを検出（ステップＳＴ５０５）するまでセキュリティ機能を無効とし、ＨＤ排出禁止状態に設定するための処理を遅延させている。
【００３１】
なお、取得されたキー情報からユーザが不在であると判定されたときＨＤを排出禁止状態に設定し、ユーザが居在すると判定されたときＩＤ入力を促しＨＤの排出禁止状態を解除してセキュリティ機能を制御する処理（ステップＳＴ５０６〜ステップＳＴ５１３、およびステップＳＴ５０４、ステップＳＴ５１４〜ステップＳＴ５１６）は、図３のフローチャートを用いて説明した基本動作の流れを踏襲するものである。
【００３２】
図６、図７は、図５に示す応用例に、更に、図４に示すフローチャートを用いて説明した警告音を出力する機能を付加し、ユーザにセキュリティ機能が有効になったことを告知する意味で示した実施の形態１の応用例である。
図４、図５の説明と重複するため、冗長を回避する意味で、ここでの説明は省略する。
【００３３】
図８、図９は、図３に示す基本動作に対して、セキュリティ機能のＯＮ／ＯＦＦ設定をユーザが制御できるようにしてユーザに利便性を提供するとともに、一層の操作性向上をはかる意味で示した本発明の実施の形態１の応用例である。
ここでは、システムコントローラ１は最初にＵＩ部１６を介してユーザが入力装置２を操作することにより生成されるセキュリティ設定変更要求の有無を判定する（ステップＳＴ８０１）。具体的に、ＵＩ部１６は、表示装置３に対してキュリティ変更設定画面を表示してユーザにセキュリティ機能を有効にするか否かについての指示入力を促し、ユーザによる指示入力の到来を待つ。
【００３４】
システムコントローラ１は、ユーザが入力装置２を操作することにより入力され、ＵＩ部１６によって取込まれる、セキュリティ機能を有効にするか否かに関する指示入力に基づき、「セキュリティ設定変更要求なし」と判定した場合（ステップＳＴ８０１“ＮＯ”）、図９に示すステップＳＴ８０９の処理に進む。
一方、「セキュリティ設定変更要求あり」と判定した場合（ステップＳＴ８０１“ＹＥＳ”）、更に、キー情報取得部１２により取得されるキー情報に基づきユーザが不在か否かを判定する（ステップＳＴ８０２）。
【００３５】
ステップＳＴ８０２の処理においてユーザか居在すると判定された場合（ステップＳＴ８０２“ＹＥＳ”）、システムコントローラ１は、ＵＩ部１６を介して表示装置３に対して現在のセキュリティ状態（セキュリティ機能が有効か否か）を表示するように指示する（ステップＳＴ８０３）。
続いて、システムコントローラ１は、ユーザが表示装置３に表示された現在のセキュリティ状態を確認した後に入力装置２を操作して入力される設定終了要求を、ＵＩ部１６を介して取込む。ここで、「設定終了要求あり」と判定された場合（ステップＳＴ８０４“ＹＥＳ”）、後述する図９のステップＳＴ８０９の処理に進み、「設定終了要求無し」と判定された場合（ステップＳＴ８０４“ＮＯ”）、更に、セキュリティ設定変更要求の有無を判定する（ステップＳＴ８０５）。
【００３６】
ステップＳＴ８０５の処理において、「セキュリティ設定変更要求あり」と判定された場合（ステップＳＴ８０５“ＹＥＳ”）、セキュリティモード判定部１３は、例えば、内蔵のフラグを参照することにより、現在、セキュリティ機能がＯＮ状態になっているか否かを判定し（ステップＳＴ８０６）、ＯＮ状態になっている場合（ステップＳＴ８０６“ＹＥＳ”）、内蔵フラグをセキュリティＯＦＦ状態に（ステップＳＴ８０８）、ＯＦＦ状態になっている場合はセキュリティ機能ＯＮ状態に設定を変更し（ステップＳＴ８０７）、それぞれ、ステップＳＴ８０３の処理に戻る。
【００３７】
一方、ステップＳＴ８０１の処理において、「セキュリティ設定変更要求無し」と判定された場合（ＳＴ８０１“ＮＯ”）、およびステップＳＴ８０４の処理において、「設定終了要求無し」と判定された場合（ステップＳＴ８０４“ＹＥＳ”）ともに、セキュリティモード判定部１３は、排出要求取得部１１を介し、ユーザが入力装置２を操作することにより生成されるＨＤの排出要求の取得を待つ（図９のステップＳＴ８０９）。
セキュリティモード判定部１３は、排出要求取得部１１によりＨＤの排出要求が到来したことを検知したときに、内蔵フラグを参照することにより、現在セキュリティ機能がＯＮ状態になっているか否かを判定し（ステップＳＴ８１０）、ＯＦＦ状態になっている場合（ステップＳＴ８１０“ＮＯ”）、セキュリティ機能を無効にするためにＨＤ排出禁止状態を解除し（ステップＳＴ８２０）、ＯＮ状態になっている場合（ステップＳＴ８１０“ＹＥＳ”）、更にキー情報取得部１２により取得されるキー情報を判定する（ステップＳＴ８１１）。
【００３８】
以降、取得されたキー情報からユーザが不在であると判定されたときＨＤを排出禁止状態に設定し、ユーザが居在すると判定されたときＩＤ入力を促しＨＤの排出禁止状態を解除してセキュリティ機能を制御する処理（ステップＳＴ８１２〜ステップＳＴ８１９、およびステップＳＴ８１０、ステップＳＴ８２０〜ステップＳＴ８２２）は、図３のフローチャートを用いて説明した基本動作の流れを踏襲するものである。
【００３９】
以上説明のように本発明の実施の形態１によれば、ユーザが不在のときにＨＤ等の記録媒体を排出禁止状態に設定する、セキュリティ機能が必要である場合にのみセキュリティ機能を有効にすることができ、このことにより、ユーザが居在する場合に操作性を優先させることができる。
また、記録媒体を排出禁止状態に設定してセキュリティ機能を有効にするとき、同時に警告音を出力することでユーザに注意を喚起することができ、更に、システムに対し、ＩＧキーを抜いても一定期間ユーザは居在するものと強制的に認識させることによりセキュリティ動作を遅延させることができ、これらにより、ユーザに利便性を提供することができる。また、ユーザにセキュリティ機能のＯＮ／ＯＦＦ設定を手動で制御させることのできるＵＩ環境を提供することで操作性を一層向上させることができる。
【００４０】
実施の形態２．
図１０は、本発明の実施の形態２にかかわる記録媒体の盗難防止装置の構成を示すブロック図である。
図１に示す実施の形態１との差異は、車載ＡＶ機器に特殊な接続インタフェースを介してＰＣを接続し、記録媒体制御装置５に挿入される記録媒体に記録されたデータを採取することにある。車載ＡＶ機器は、図１に示す実施の形態１と同様、ＡＶ機器の制御中枢となるシステムコントローラ１を核に、入力装置２、表示装置３、通信装置４、記録媒体制御装置５、音声出力装置６が周辺装置として接続され構成されるが、入力装置１からは、実施の形態１で示した排出要求に代わってアクセス要求が入力され、取込まれる。
【００４１】
図１１は、図１０に示すシステムコントローラ１の内部構成を機能展開して示したブロック図である。
図１０に示されるように、システムコントローラ１の内部構成を機能的に大別すれば、アクセス要求取得部１９と、キー情報取得部１２と、セキュリティモード判定部１３と、警告音生成部１４と、タイマ監視部１５と、ＵＩ部１６と、セキュリティ情報照合部１７と、セキュリティ情報記憶部１８とから成る。
【００４２】
アクセス要求取得部１９は、ユーザが入力装置２のボタン操作（Ｒ／Ｗ操作）を行うことにより生成されるＨＤのアクセス要求を取得してセキュリティモード判定部１３へ供給する。セキュリティモード判定部１３には、他に、キー情報取得部１２を介してＩＧキーの挿抜状態、もしくはキーポジションに関するキー情報が供給されている。ＩＧキーの挿抜状態、もしくはキーポジションに関する情報は、上記したように車内ＬＡＮから通信装置４を介してキー情報として通信されキー情報取得部１２に設定される。
セキュリティモード判定部１３は、アクセス要求取得部１９を介してＨＤのアクセス要求があったことを検知すると、更に、キー情報取得部１２を介して取得されるキー情報からユーザが不在であると判定したときに、ＨＤをアクセス禁止状態に設定してセキュリティ機能を有効にし、記録媒体制御装置５に対し、アクセスを禁止するための制御信号を供給する。また、警告音発生部１４による警告音生成処理を起動し、音声出力装置６を介して警告音発生を指示することも可能である。
【００４３】
セキュリティモード判定部１３はまた、キー情報からユーザが不在であると判定したとき、ＵＩ部１６を介して表示装置３にセキュリティ情報入力を促すためのメッセージを表示し、続いてユーザが入力装置２を操作することによりボタン入力されるＩＤ等のセキュリティ情報を取込み、セキュリティ情報照合部１７に対してセキュリティ情報の照合を指示する機能もあわせ持つ。
セキュリティ情報照合部１７は、ＵＩ部１６を介して取込まれるＩＤ等のセキュリティ情報と、車載ＡＶ機器毎に設定される固有のセキュリティ情報、ここではセキュリティ情報記憶部１８に格納されるＩＤ等のセキュリティ情報とを比較照合し、この照合の結果をセキュリティモード判定部１３へ供給する。セキュリティモード判定部１３は、セキュリティ情報照合部１７によって出力される照合の結果によってはＨＤのアクセス禁止状態を解除してセキュリティ機能を無効にすることができる。
【００４４】
なお、セキュリティ情報照合部１７は、照合の結果によってはＵＩ部１６を再度起動し、表示装置３によるメッセージ表示、および入力装置２のセキュリティ情報の取り込みによる照合を所定回数試行し、都度その結果をセキュリティモード判定部１３へ供給する。セキュリティモード判定部１３は、セキュリティ情報照合部１７による所定回数の試行の結果に変化がないとき、ＨＤのアクセス禁止状態を継続してセキュリティ機能を有効にする。
【００４５】
図１２は、本発明の実施の形態２にかかわる記録媒体の盗難防止装置の基本動作について説明するために引用したフローチャートである。
以下、図１２に示すフローチャートを参照しながら図１０、図１１に示す記録媒体の盗難防止装置の動作について詳細に説明する。
【００４６】
図１２において、システムコントローラ１は、まず、アクセス要求受信部１９により入力装置２を介して到来するＨＤのアクセス要求、ここではデータＲＥＡＤの有無を判定する（ステップＳＴ１２１）。ＨＤのアクセス要求の有無に関する情報は、セキュリティモード判定部１３へ出力される。システムコントローラ１は更に、キー情報取得部１２により取得されるＩＧキーの挿抜状態、もしくはキーポジションを示すキー情報をセキュリティモード判定部１３へ出力する。
このとき、セキュリティモード判定部１３は、ユーザからＨＤのデータＲＥＡＤ要求があり、キーが挿入された状態にあることが検知された場合（ステップＳＴ１２２“ＹＥＳ”）、ユーザが居在すると判定してセキュリティ機能を無効とし、ＨＤアクセス禁止状態を解除する（ステップＳＴ１３１）。そして、セキュリティモード判定部１３は、記録媒体制御装置５に対してアクセス要求を許可する信号を出力し（ステップＳＴ１３２：データＲＥＡＤ許可）、ＰＣ１０へのデータ送信を許可する（ステップＳＴ１３３）。
【００４７】
一方、ステップＳＴ１２２の処理において、キー情報によりユーザが不在であると判定された場合（ステップＳＴ１２２“ＮＯ”）、セキュリティモード判定部１３は、更に、現在セキュリティ機能が有効となっており、ＨＤアクセス禁止状態にあるか否かを判定する（ステップＳＴ１２３）。
セキュリティモード判定部１３は、ステップＳＴ１２３の処理において、ＨＤアクセス禁止状態に設定されていると判定した場合（ステップＳＴ１２３“ＹＥＳ”）、ステップＳＴ１２１の処理に戻り、一方、ＨＤアクセス禁止状態に設定されていないと判定した場合（ステップＳＴ１２３“ＮＯ”）、セキュリティ情報照合部１７を起動する。このとき、セキュリティ情報照合部１７は、まず、ユーザのＩＤ誤入力回数をカウントするために割り当てられ内蔵カウンタ（ＣＮＴ）をクリアし（ステップＳＴ１２４）、表示装置３に対し、ユーザにＨＤアクセス禁止状態を解除するためのＩＤ入力を促すメッセージ（ＩＤ入力要求）を表示するようにＵＩ部１６を起動する。このことにより、ＵＩ部１６は、ＩＤ入力を促すメッセージを表示装置３に表示し（ステップＳＴ１２５）、ユーザが入力装置２を操作することによって入力されるＩＤの到来を待つ（ステップＳＴ１２６）。
【００４８】
ここで、ユーザによりＩＤ入力があった場合、セキュリティ情報照合部１７は、ＵＩ部１６を介して出力されるＩＤと、セキュリティ情報記憶部１８に記録されたＡＶ機器に固有のＩＤとを比較照合する（ステップＳＴ１２７）。ＩＤの比較照合の結果、一致した場合（ステップＳＴ１２７“ＹＥＳ”）、セキュリティ情報照合部１７は、セキュリティモード判定部１３を起動し、セキュリティモード判定部１３は、記録媒体制御装置５に対してＨＤアクセス要求（データＲＥＡＤ）を許可する（ステップＳＴ１３２）。このことにより、ＰＣ１０は、挿入されてあるＨＤに記録されたデータをＲＥＡＤすることができる（ステップＳＴ１３３）。
一方、ステップＳＴ１２７の処理において、ＩＤ不一致と判定された場合（ステップＳＴ１２７“ＮＯ”）、セキュリティ情報照合部１７は、内蔵カウンタ（ＣＮＴ）を＋１更新する（ステップＳＴ１２８）。ここで、ＩＤの誤入力は２回まで許されるものとし、カウンタ（ＣＮＴ）が“３”をカウントした時点で（ステップＳＴ１２９“ＹＥＳ”）、セキュリティ情報照合部１７はセキュリティモード判定部１３を起動し、セキュリティモードを有効にするように制御する。すなわち、セキュリティモード判定部１３は、記録媒体制御装置５にアクセス禁止信号を出力してＨＤアクセス禁止状態に設定し(ステップＳＴ１３０）、ステップＳＴ１２１の処理に戻る。すなわち、ユーザの居在が確認できるまでＨＤのアクセスは禁止される。
【００４９】
図１３は、図１２に示す基本動作の流れに従いＨＤのアクセスを禁止するとき、警告音を同時に鳴らすことでユーザに注意喚起する場合の実施の形態２の応用例の動作を説明するために引用したフローチャートである。
図１２に示すフローチャートとの差異は、記録媒体制御装置５がＨＤアクセス禁止状態に設定された後（ステップＳＴ１５０）、システムコントローラ１は、音声出力装置６を起動して警告音の発生を要求し（ステップＳＴ１５１）、音声出力装置６は、例えば、警告音の出力を１分継続（ステップＳＴ１５２）した後音声出力を停止する（ステップＳＴ１５３）ことにある。
【００５０】
なお、アクセス要求（データＲＥＡＤ）があり、取得されたキー情報からユーザが不在であると判定されたときにＨＤをアクセス禁止状態に設定し（ステップＳＴ１４１〜ステップＳＴ１５０）、ユーザが居在すると判定されたときＨＤのアクセス禁止状態を解除してセキュリティ機能を制御する処理（ステップＳＴ１４２、ステップＳＴ１５４〜ステップＳＴ１５７）は、図１２で説明した基本動作の流れを踏襲するものである。
【００５１】
以上説明のように本発明の実施の形態２によれば、記録媒体の盗難防止対策は勿論のこと、ＨＤ等の記録媒体に記録されたデータの盗難防止対策も施すことができ、記録媒体のハード、ソフトの両面にわたってセキュリティ保護が可能になる。また、ＨＤ等記録媒体をアクセス禁止状態に設定しセキュリティ機能を有効にするとき、同時に警告音を出力することでユーザに注意を喚起することもできる。
【００５２】
以上説明のように本発明は、取得されたキー情報からユーザが不在であると判定されたとき、ＨＤ等記録媒体を排出禁止状態に設定し、ユーザが居在すると判定されたとき、記録媒体の排出禁止状態を解除するようにセキュリティ機能を制御することでユーザが居在する場合の操作性の向上をはかるものである。
また、取得したキー情報からユーザが不在であると判定されたとき、ＨＤ等記録媒体をアクセス禁止状態に設定し、ユーザが居在すると判定されたとき、記録媒体のアクセス禁止状態を解除するようにセキュリティ機能を制御することで、記録媒体に記録されたデータの盗難防止対策も施し、記録媒体のハード、ソフトの両面にわたるセキュリティ保護を実現するものである。
【００５３】
なお、上記した本発明の実施の形態１、実施の形態２によれば、記録媒体としてＨＤを使用した場合についてのみ説明したが、他に、ＣＤやＤＶＤの光ディスクやＳＤカード等の半導体メモリを記録媒体として用いたＡＶ機器に適用してもよい。但し、ＳＤカードの場合は、記録媒体制御装置５にローディング機構を持たないため、セキュリティ機能を有効にするためには、例えば、ＳＤのポップアップ機構をロックするための機械的な手段が必要になる。
【図面の簡単な説明】
【００５４】
【図１】本発明の実施の形態１にかかわる記録媒体の盗難防止装置の構成を示すブロック図である。
【図２】図１に示すシステムコントローラの内部構成を機能展開して示したブロック図である。
【図３】本発明の実施の形態１にかかわる記録媒体の盗難防止装置における基本動作の流れを説明するために引用したフローチャートである。
【図４】本発明の実施の形態１にかかわる記録媒体の盗難防止装置における応用例の動作を説明するために引用したフローチャートである。
【図５】本発明の実施の形態１にかかわる記録媒体の盗難防止装置における応用例の動作を説明するために引用したフローチャートである。
【図６】本発明の実施の形態１にかかわる記録媒体の盗難防止装置における応用例の動作を説明するために引用したフローチャートである。
【図７】本発明の実施の形態１にかかわる記録媒体の盗難防止装置における応用例の動作を説明するために引用したフローチャートである。
【図８】本発明の実施形の形態１にかかわる記録媒体の盗難防止装置における応用例の動作を説明するために引用したフローチャートである。
【図９】本発明の実施の形態１にかかわる記録媒体の盗難防止装置における応用例の動作を説明するために引用したフローチャートである。
【図１０】本発明の実施の形態２にかかわる記録媒体の盗難防止装置の構成を示すブロック図である。
【図１１】図１０に示すシステムコントローラの内部構成を機能展開して示したブロック図である。
【図１２】本発明の実施の形態２にかかわる記録媒体の盗難防止装置の基本動作について説明するために引用したフローチャートである。
【図１３】本発明の実施の形態２にかかわる記録媒体の盗難防止装置における応用例の動作を説明するために引用したフローチャートである。
【符号の説明】
【００５５】
１  システムコントローラ、２  入力装置、３  表示装置、４  通信装置、５  記録媒体制御装置、６  音声出力装置、１０  ＰＣ、１１  排出要求取得部、１２  キー情報取得部、１３  セキュリティモード判定部、１４  警告音生成部、１５  タイマ監視部、１６  ＵＩ部、１７  セキュリティ情報照合部、１８  セキュリティ情報記憶部、１９  アクセス要求取得部。
【図１】
2009140522.tif 000003
【図２】
2009140522.tif 000004
【図３】
2009140522.tif 000005
【図４】
2009140522.tif 000006
【図５】
2009140522.tif 000007
【図６】
2009140522.tif 000008
【図７】
2009140522.tif 000009
【図８】
2009140522.tif 000010
【図９】
2009140522.tif 000011
【図１０】
2009140522.tif 000012
【図１１】
2009140522.tif 000013
【図１２】
2009140522.tif 000014
【図１３】
2009140522.tif 000015